(57)【要約】【課題】円筒状の容器に巻き付けてもシワの発生しにくい多層表示ラベルを提供することを課題とする。【解決手段】表面に表示部３ａを有するとともに、裏面に粘着剤層５が形成され、かつ、表面の一端部に剥離剤を塗布した剥離剤部６が形成された基材ラベル３と、少なくとも表面に表示部４ａを有するとともに、裏面の両端部に粘着剤を塗布した粘着剤部７ａ、７ｂが形成され、さらに、一端部の粘着剤部７ａが基材ラベル３の剥離剤部６に重なり、かつ、他端部の粘着剤部７ｂが基材ラベル３の剥離剤部６に対峙する端部に重なるよう積層された上紙ラベル４と、から構成される。【選択図】図２
2013140321.tif 000002
【特許請求の範囲】
【請求項１】
表面に表示部を有するとともに、裏面に粘着剤層が形成され、かつ、表面の一端部に剥離剤を塗布した剥離剤部が形成された基材ラベルと、
少なくとも表面に表示部を有するとともに、裏面の両端部に粘着剤を塗布した粘着剤部が形成され、さらに、一端部の前記粘着剤部が前記基材ラベルの剥離剤部に重なり、かつ、他端部の前記粘着剤部が基材ラベルの前記剥離剤部に対峙する端部に重なるよう積層された上紙ラベルと、から成る多層表示ラベル。
【請求項２】
前記上紙ラベルは、表面の一端部に第１の剥離剤部が形成されるとともに前記基材ラベルに積層される第１の上紙ラベルと、この第１の上紙ラベルの剥離剤部に、一端部の前記粘着剤部が重なるよう積層された第２の上紙ラベルと、から成ることを特徴とする請求項１に記載の多層表示ラベル。
【請求項３】
前記第２の上紙ラベルの一端部の粘着剤部の粘着力は、前記第１の上紙ラベルの一端部の粘着剤部の粘着力より弱いことを特徴とする請求項２に記載の多層表示ラベル。
【請求項４】
表面に表示部を有するとともに、裏面に粘着剤層が形成され、かつ、表面の両端部に粘着剤が塗布された粘着剤部が形成された基材ラベルと、
少なくとも表面に表示部を有するとともに、裏面の一端部に剥離剤が塗布された剥離剤部が形成され、さらに、前記剥離剤部が前記基材ラベルの一端部の前記粘着剤部に重なり、かつ、他端部が基材ラベルの他端部に重なるよう積層された上紙ラベルと、から成る多層表示ラベル。
【請求項５】
前記上紙ラベルは、表面の両端部に粘着剤部が形成されるとともに前記基材ラベルに積層される第１の上紙ラベルと、この第１の上紙ラベルの一端部の粘着部に、一端部の前記剥離剤部が重なるよう積層された第２の上紙ラベルと、から成ることを特徴とする請求項４に記載の多層表示ラベル。
【請求項６】
前記第１の上紙ラベルの一端部の粘着剤部の粘着力は、前記基材ラベルの一端部の粘着剤部の粘着力より弱いことを特徴とする請求項５に記載の多層表示ラベル。
【請求項７】
表面に表示部を有し、裏面に粘着剤層が形成された基材ラベルと、
少なくとも表面に表示部を有し、前記基材ラベルと積層される上紙ラベルと、
前記基材ラベルと前記上紙ラベルとに挟まれる領域の一端部において前記基材ラベルと前記上紙ラベルとを複数回の貼り付けおよび剥離が可能な状態に仮着する再剥離粘着部と、
前記基材ラベルと前記上紙ラベルとに挟まれる領域の他端部において前記基材ラベルと前記上紙ラベルとを剥離しにくいよう貼り付ける粘着剤部又は接着剤部と、
を備える多層表示ラベル。
【請求項８】
少なくとも片面に表示部を有し、前記上紙ラベルのさらに表面側に積層される第２の上紙ラベルと、
前記上紙ラベルと前記第２の上紙ラベルとに挟まれる領域の一端部において前記上紙ラベルと前記第２の上紙ラベルとを複数回の貼り付けおよび剥離が可能な状態に仮着する再剥離粘着部と、
前記上紙ラベルと前記第２の上紙ラベルとに挟まれる領域の他端部において前記上紙ラベルと前記第２の上紙ラベルとを剥離しにくいよう貼り付ける粘着剤部又は接着剤部と、
を備える請求項７に記載の多層表示ラベル。
【発明の詳細な説明】
【技術分野】
【０００１】
本発明は、特に、多層表示ラベルに係り、円筒状の容器に巻き付けてもシワの発生しにくい多層表示ラベルに関する。
【背景技術】
【０００２】
従来、商品名などの情報が印字または印刷された表示ラベルを容器に貼付することが一般的に行われている。
特に、農薬などの販売に際して農薬の入った容器には、その農薬の使用方法や注意書きを表示ラベルに見易く、読み易く表示することが、農薬安全使用対策の一環として求められている。これらの項目には登録番号、種類名、名称、成分、内容量、劇物取締法による表示、消防法等による表示などが挙げられ、多数の表示項目が要求されるほか、見易くするために文字の大きさや書体なども、その表示項目によって設定されている。これに対し、容器まわりに貼付される表示ラベルの長さでは、表示できる表示スペースに限りがある。
これを解決するために従来は、表示ラベルを容器周りよりも長く形成し、表示ラベルの一部をオーバーラップするように容器の周りに巻回貼付させ、このオーバーラップ部分にも表示を施すとともに、オーバーラップ部分を剥離可能に仮着させていた（例えば、特許文献１参照）。
しかしながら、オーバーラップさせる表示ラベルは、長尺状のため容器に巻き付ける際シワが発生し易いという問題がある。
【０００３】
上記問題点を解決するため、長尺状の表示ラベルに代えてシートを層状に重ね合わせた多層ラベルが開発されている（例えば、特許文献２参照）。
特許文献２の多層ラベルによれば、裏面に接着剤が付与された基材シート、中間シートおよび表面シートを重ね合わせて成り、基材シート、中間シートおよび表面シートの各シートに多数の表示項目を表示することができるようにしたことで長尺状に形成していた表示ラベルを短くし、以て、シワの発生を抑止したものである。
しかしながら、多層ラベルおいても、シワが発生を抑止できないという問題がある。すなわち、ビンなどの円筒状の容器に多層ラベルを巻き付けると、基材シートと中間シートおよび表面シートとの円周の差によりシワが発生し易いものであった。
特に、同文献の多層ラベルは、左右の端域において接着剤を有するとともに、端域に隣接してミシン目が形成されているため、円周の差によるシワが発生するとミシン目より切れ易い状態となるものであった。
【先行技術文献】
【特許文献】
【０００４】
【特許文献１】特開２００３−２４８４２７号公報
【特許文献２】特開平５−２１０３５３号公報
【発明の概要】
【発明が解決しようとする課題】
【０００５】
本発明は、上記の問題点に着目して成されたものであり、円筒状の容器に巻き付けてもシワの発生しにくい多層表示ラベルを提供することを課題とする。
【課題を解決するための手段】
【０００６】
本発明に係る多層表示ラベルは、表面に表示部を有するとともに、裏面に粘着剤層が形成され、かつ、表面の一端部に剥離剤を塗布した剥離剤部が形成された基材ラベルと、少なくとも表面に表示部を有するとともに、裏面の両端部に粘着剤を塗布した粘着剤部が形成され、さらに、一端部の前記粘着剤部が前記基材ラベルの剥離剤部に重なり、かつ、他端部の前記粘着剤部が基材ラベルの前記剥離剤部に対峙する端部に重なるよう積層された上紙ラベルと、から成る。
また、上紙ラベルを、表面の一端部に第１の剥離剤部が形成されるとともに基材ラベルに積層される第１の上紙ラベルと、この第１の上紙ラベルの剥離剤部に、一端部の粘着剤部が重なるよう積層された第２の上紙ラベルと、から構成するようにできる。
また、第２の上紙ラベルの一端部の粘着剤部の粘着力を、前記第１の上紙ラベルの一端部の粘着剤部の粘着力より弱いようにすることができる。
さらに、第２の発明に係る多層表示ラベルは、表面に表示部を有するとともに、裏面に粘着剤層が形成され、かつ、表面の両端部に粘着剤が塗布された粘着剤部が形成された基材ラベルと、少なくとも表面に表示部を有するとともに、裏面の一端部に剥離剤が塗布された剥離剤部が形成され、さらに、前記剥離剤部が前記基材ラベルの一端部の前記粘着剤部に重なり、かつ、他端部が基材ラベルの他端部に重なるよう積層された上紙ラベルと、から成る。
また、前記上紙ラベルは、表面の両端部に粘着剤部が形成されるとともに前記基材ラベルに積層される第１の上紙ラベルと、この第１の上紙ラベルの一端部の粘着部に、一端部の前記剥離剤部が重なるよう積層された第２の上紙ラベルと、から構成するようにできる。
また、前記第１の上紙ラベルの一端部の粘着剤部の粘着力を、前記基材ラベルの一端部の粘着剤部の粘着力より弱いようにすることができる。
さらに、第３の発明に係る多層表示ラベルは、表面に表示部を有し、裏面に粘着剤層が形成された基材ラベルと、少なくとも表面に表示部を有し、前記基材ラベルと積層される上紙ラベルと、前記基材ラベルと前記上紙ラベルとに挟まれる領域の一端部において前記基材ラベルと前記上紙ラベルとを複数回の貼り付けおよび剥離が可能な状態に仮着する再剥離粘着部と、前記基材ラベルと前記上紙ラベルとに挟まれる領域の他端部において前記基材ラベルと前記上紙ラベルとを剥離しにくいよう貼り付ける粘着剤部又は接着剤部と、を備える。
また、前記多層表示ラベルは、少なくとも片面に表示部を有し、前記上紙ラベルのさらに表面側に積層される第２の上紙ラベルと、前記上紙ラベルと前記第２の上紙ラベルとに挟まれる領域の一端部において前記上紙ラベルと前記第２の上紙ラベルとを複数回の貼り付けおよび剥離が可能な状態に仮着する再剥離粘着部と、前記上紙ラベルと前記第２の上紙ラベルとに挟まれる領域の他端部において前記上紙ラベルと前記第２の上紙ラベルとを剥離しにくいよう貼り付ける粘着剤部又は接着剤部とを備えるようにしてもよい。
【発明の効果】
【０００７】
本発明の多層表示ラベルは、表面に表示部を有するとともに、裏面に粘着剤層が形成され、かつ、表面の一端部に剥離剤を塗布した剥離剤部が形成された基材ラベルと、少なくとも表面に表示部を有するとともに、裏面の両端部に粘着剤を塗布した粘着剤部が形成され、さらに、一端部の前記粘着剤部が基材ラベルの剥離剤部に重なり、かつ、他端部の粘着剤部が基材ラベルの剥離剤部に対峙する端部に重なるよう積層された上紙ラベルと、から構成したので、ビンなどの円筒状の被貼付物に貼り付けるような場合であっても、一端部の剥離剤部により粘着剤部が滑るので、シワが発生しないものであり、かつ、基材ラベルの表面、および上紙ラベルの少なくとも表面に表示部を有するようにしたので、多量の情報量の表示が小さいサイズのラベルで実現できるという効果がある。
また、上紙ラベルを、表面の一端部に第１の剥離剤部が形成されるとともに基材ラベルに積層される第１の上紙ラベルと、この第１の上紙ラベルの剥離剤部に、一端部の粘着剤部が重なるよう積層された第２の上紙ラベルと、から構成すれば、より多量の情報を表示することが可能となる。
また、第２の上紙ラベルの一端部の粘着剤部の粘着力を、第１の上紙ラベルの一端部の粘着剤部の粘着力より弱いようにすれば、上層の第２の上紙ラベルがより滑りやすくなり、多層にしてもシワが寄りにくくなるものである。
さらに、第２の発明に係る多層表示ラベルは、表面に表示部を有するとともに、裏面に粘着剤層が形成され、かつ、表面の両端部に粘着剤が塗布された粘着剤部が形成された基材ラベルと、少なくとも表面に表示部を有するとともに、裏面の一端部に剥離剤が塗布された剥離剤部が形成され、さらに、前記剥離剤部が前記基材ラベルの一端部の前記粘着剤部に重なり、かつ、他端部が基材ラベルの他端部に重なるよう積層された上紙ラベルと、から構成したため、一端部の剥離剤部により粘着剤部が滑るので、シワが発生しないという効果がある。
また、前記上紙ラベルは、表面の両端部に粘着剤部が形成されるとともに前記基材ラベルに積層される第１の上紙ラベルと、この第１の上紙ラベルの一端部の粘着部に、一端部の前記剥離剤部が重なるよう積層された第２の上紙ラベルと、から構成すれば、より多量の情報を表示することが可能となる。
また、前記第１の上紙ラベルの一端部の粘着剤部の粘着力を、前記基材ラベルの一端部の粘着剤部の粘着力より弱いようにすれば、上層の第２の上紙ラベルがより滑りやすくなり、多層にしてもシワが寄りにくくなるものである。
さらに、第３の発明に係る多層表示ラベルは、表面に表示部を有し、裏面に粘着剤層が形成された基材ラベルと、少なくとも表面に表示部を有し、前記基材ラベルと積層される上紙ラベルと、前記基材ラベルと前記上紙ラベルとに挟まれる領域の一端部において前記基材ラベルと前記上紙ラベルとを複数回の貼り付けおよび剥離が可能な状態に仮着する再剥離粘着部と、前記基材ラベルと前記上紙ラベルとに挟まれる領域の他端部において前記基材ラベルと前記上紙ラベルとを剥離しにくいよう貼り付ける粘着剤部又は接着剤部とを備える。よって、多層表示ラベルは、ビンなどの円筒状の被貼付物に貼り付けるような場合であっても、一端部の剥離剤部により粘着剤部が滑るので、シワが発生しない。また、多層表示ラベルは、基材ラベルの表面、および上紙ラベルの少なくとも表面に表示部を有するようにしたので、多量の情報量の表示が小さいサイズのラベルで実現できるという効果がある。
また、前記多層表示ラベルは、少なくとも片面に表示部を有し、前記上紙ラベルのさらに表面側に積層される第２の上紙ラベルと、前記上紙ラベルと前記第２の上紙ラベルとに挟まれる領域の一端部において前記上紙ラベルと前記第２の上紙ラベルとを複数回の貼り付けおよび剥離が可能な状態に仮着する再剥離粘着部と、前記上紙ラベルと前記第２の上紙ラベルとに挟まれる領域の他端部において前記上紙ラベルと前記第２の上紙ラベルとを剥離しにくいよう貼り付ける粘着剤部又は接着剤部とを備えるようにすれば、より多量の情報を表示することが可能となる。
【図面の簡単な説明】
【０００８】
【図１】本発明に係る多層表示ラベルの一実施の形態を示す概略斜視説明図である。
【図２】同、図１中、矢示ＩＩ−ＩＩ線に沿う概略断面図である。
【図３】同、第２の実施の形態の多層表示ラベルを示す図２相当の概略断面図である。
【図４】同、第３の実施の形態の多層表示ラベルを示す図２相当の概略断面図である。
【図５】同、第４の実施の形態の多層表示ラベルを示す図２相当の概略断面図である。
【発明を実施するための形態】
【０００９】
以下、本発明の一実施の形態につき、図１および第２図に基づいて説明する。
【００１０】
図１は、本発明に係る多層表示ラベルの一実施の形態を示す概略斜視説明図、図２は、図１中、矢示ＩＩ−ＩＩ線に沿う概略断面図である。
同図に示すように、多層表示ラベル１は、基材ラベル３と上紙ラベル４とを備えている。
【００１１】
基材ラベル３は、裏面の全面に粘着剤層５が形成されるとともに、表面の一端部（図２においては、左側端部）の小幅な領域に剥離剤が塗布された剥離剤部６が形成されている。また、基材ラベル３の表面は、予め、薬品の効能などの情報が印刷された表示部３ａとなっている。
上紙ラベル４は、裏面の両端部の小幅な領域に粘着剤が塗布された粘着剤部７ａ、７ｂが形成されており、かつ、表裏面は、予め、商品目などの情報が印刷された表示部４ａとなっている。
そして、基材ラベル３および上紙ラベル４が積層されて多層表示ラベル１が形成されている。多層表示ラベル１の積層状態は、基材ラベル３の一端部に形成された剥離剤部６に上紙ラベル４の一方の端部の粘着剤部７ａが、また、基材ラベル３の他端部（剥離剤部６が形成された一端部に対峙する端部）に上紙ラベル４の他方の端部の粘着剤部７ｂが、各々重なった状態となっており、一端部には、剥離剤部６と粘着剤部７ａとにより、貼り付けおよび剥離を複数回繰り返し可能な「再剥離粘着剤部」が形成され、また、他端部は、粘着剤部７ｂが基材ラベル３に剥離しにくいよう貼り付けられた「粘着剤部」が形成された状態となっている。
なお、多層表示ラベル１は、表面に図示省略の剥離剤が塗布された台紙２に対し、前記基材ラベル３の裏面に形成された粘着剤層５を介して剥離可能に仮着されている。
【００１２】
上記多層表示ラベル１の使用状態につき、説明する。
台紙２より多層表示ラベル１を剥がし、基材ラベル３裏面の粘着剤層５を表出させ、この粘着剤層５を介して図示省略の被貼付物に多層表示ラベル１を貼り付けて表示する。
貼り付け・表示された多層表示ラベル１は、上層の上紙ラベル４表面の表示部４ａが表出しているため、表示部４ａの表示内容により被貼付物（図示省略）が確認できる。
また、多層表示ラベル１は、基材ラベル３の一端部に形成された剥離剤部６に対応して上紙ラベル４の一方の端部の粘着剤部７ａが重なり、また、上紙ラベル４の他方の端部の粘着剤部７ｂは基材ラベル３の他端部に貼り付けられた状態で積層されているため、上紙ラベル４の粘着剤部７ａ側を指でつまんで引き上げると、上紙ラベル４の粘着剤部７ａと基材ラベル３の剥離剤部６との仮着が剥がれて上紙ラベル４をめくることができる。このとき基材ラベル３の他端部には剥離剤部６が形成されておらず、基材ラベル３と上紙ラベル４とは粘着剤部７ｂにて剥離不能に貼り付けられているため、剥がれにくいものである。
しかも、基材ラベル３の表面に表示部３ａが、さらに、上紙ラベル４の裏面にも表示部４ａが形成されており、上層部に積層された上紙ラベル４をめくるだけで他の効能等の情報を確認できるため、多量の情報量の表示が小さいサイズのラベルで実現できるものである。
なお、表示部４ａ、３ａを確認した後、上紙ラベル４の粘着剤部７ａを基材ラベル３の剥離剤部６に戻して重ね合わせると、粘着剤部７ａと剥離剤部６は、再び仮着状態となる。
さらに、多層表示ラベル１をビンなどの円筒状の被貼付物（図示省略）に貼り付ける際、上紙ラベル４と基材ラベル３との円周の差により上紙ラベル４にシワが発生し易い状態となるが、他端部の粘着剤部７ｂ側から被貼付物（図示省略）に貼り付け、多層表示ラベル１を円周面に沿って粘着剤部７ｂ側から押し付けながら貼り付けていくと、基材ラベル３と上紙ラベル４の一端部の間が剥離剤部６と粘着剤部７ａで形成されており、上紙ラベル４の粘着剤部７ａが基材ラベル３の剥離剤部６上を滑るため、シワが寄らないものである。
【００１３】
次に、主に、図３に基づき、第２の実施の形態につき説明する。
なお、以下において、先の実施の形態と同様の部分には同一符号を付すに止め、詳説を省略する。
同図に示すように多層表示ラベル１１は、基材ラベル３と、第１の上紙ラベル１２と、第２の上紙ラベル１３とを備えている。
第１の上紙ラベル１２は、裏面の両端部の小幅な領域に粘着剤が塗布された粘着剤部１４ａ、１４ｂが形成されており、かつ、表裏面は、予め、商品目などの情報が印刷された表示部１２ａとなっている。さらに、表面の一端部（図３においては、左側端部）の小幅な領域に剥離剤が塗布された剥離剤部１５が形成されている。
第２の上紙ラベル１３は、裏面の両端部の小幅な領域に粘着剤が塗布された粘着剤部１６ａ、１６ｂが形成されており、かつ、表裏面は、予め、商品目などの情報が印刷された表示部１３ａとなっている。
なお、第２の上紙ラベル１３の一端部の粘着剤部１６ａは、第１の上紙ラベル１２の一端部の粘着剤部１４ａよりも弱い粘着力の粘着剤が塗布されている。
そして、基材ラベル３、並びに第１および第２の上紙ラベル１２、１３が積層されて多層表示ラベル１１が形成されている。
多層表示ラベル１１の一端部は、基材ラベル３の剥離剤部６、その上に第１の上紙ラベル１２の粘着剤部１４ａ、さらに、第１の上紙ラベル１２表面の一端部の剥離剤部１５の上に、第２の上紙ラベル１３の粘着剤部１６ａが重なった状態となっており、第１および第２の上紙ラベル１２、１３とも、複数回の貼り付けおよび剥離が可能な「再剥離粘着部」となっている。
また、他端部は、基材ラベル３の表面に第１の上紙ラベル１２の粘着剤部１４ｂが重なって貼り付けられ、さらに、第１の上紙ラベル１２の表面に第２の上紙ラベル１３の粘着剤部１６ｂが重なって貼り付けられ、第１および第２の上紙ラベル１２、１３が他端部において剥離しにくいよう貼り付けられた「粘着剤部」が形成されている。
なお、多層表示ラベル１１は、表面に図示省略の剥離剤が塗布された台紙２に対し、前記基材ラベル３の裏面に形成された粘着剤層５を介して剥離可能に仮着されている。
【００１４】
上記多層表示ラベル１１を台紙２より剥がし、基材ラベル３裏面の粘着剤層５を表出させ、この粘着剤層５を介してビンなどの円筒状の被貼付物（図示省略）に多層表示ラベル１１を貼り付けて表示する。すなわち、他端部の粘着剤部１４ｂ、１６ｂ側から多層表示ラベル１１を円周面に沿って押し付けながら被貼付物（図示省略）に貼り付けていくと、第１の上紙ラベル１２の粘着剤部１４ａが基材ラベル３の剥離剤部６にて、また、第２の上紙ラベル１３の粘着剤部１６ａが第１の上紙ラベル１２の剥離剤部１５にて、各々滑るため、シワが寄らないものであり、しかも、第１の上紙ラベル１２の上に積層される第２の上紙ラベル１３の粘着剤部１４ａの粘着力が、第１の上紙ラベル１２の粘着剤部１６ａの粘着力より弱く形成されているため、図示省略の被貼付物に貼り付けた際、一番外側に積層されて円周の差が出やすい第２の上紙ラベル１３の一端部が滑り易いので、シワが寄りにくいものである。
また、基材ラベル３の表示部３ａに加え、第１および第２の上紙ラベル１２、１３の表裏面が表示部１２ａ、１３ａとなっているので、多量の情報量の表示が小さいサイズのラベルで実現できるものである。
その他の構成、作用、効果については、先の実施の形態とほぼ同様につき、詳説を省略する。
【００１５】
次に、主に、図４に基づき、第３の実施の形態につき説明する。
なお、以下において、先の実施の形態と同様の部分には同一符号を付すに止め、詳説を省略する。
同図に示すように、多層表示ラベル２１は、基材ラベル２２と、上紙ラベル２３とを備えている。
基材ラベル２２は、表面の両端部の小幅な領域に粘着剤が塗布された粘着剤部２４ａ、２４ｂが形成されている。また、基材ラベル２２の表面は、予め、薬品の効能などの情報が印刷された表示部２２ａとなっている。さらに、基材ラベル２２の裏面の全面に粘着剤層５が形成されている。
上紙ラベル２３は、裏面の一端部の小幅な領域に剥離剤が塗布された剥離剤部２５が形成されており、かつ、表裏面は、予め、商品目などの情報が印刷された表示部２３ａとなっている。
そして、基材ラベル２２および上紙ラベル２３が積層されて多層表示ラベル２１が形成されている。多層表示ラベル２１の積層状態は、基材ラベル２２の一端部に形成された粘着剤部２４ａに上紙ラベル２３の一方の端部が重なった状態となっており、一端部は、粘着剤部２４ａと剥離剤部２５とにより、貼り付けおよび剥離を複数回繰り返し可能な「再剥離粘着剤部」が形成され、また、他端部は、粘着剤部２４ｂが基材ラベル２２に剥離しにくいよう貼り付けられた「粘着剤部」が形成された状態となっている。すなわち、基材ラベル２２と上紙ラベル２３の間の一端部に、粘着剤部２４ａと剥離剤部２５が介在することにより再剥離可能な「再剥離粘着剤部」が形成されればよいものであり、「粘着剤部」と「剥離剤部」は、基材ラベル２２と上紙ラベル２３のどちらに形成しても構わないものである。
その他の構成は、先の実施の形態とほぼ同様につき、詳説を省略する。
【００１６】
次に、主に、図５に基づき、第４の実施の形態につき説明する。
なお、以下において、先の実施の形態と同様の部分には同一符号を付すに止め、詳説を省略する。
同図に示すように多層表示ラベル３１は、基材ラベル２２と、第１の上紙ラベル３３と、第２の上紙ラベル３４とを備えている。
第１の上紙ラベル３３は、裏面の一端部の小幅な領域に剥離剤が塗布された剥離剤部３５が形成されており、かつ、表裏面は、予め、商品目などの情報が印刷された表示部３３ａとなっている。さらに、第１の上紙ラベル３３は、表面の両端部の小幅な領域に粘着剤が塗布された粘着剤部３６ａ、３６ｂが形成されている。
第２の上紙ラベル３４は、裏面の一端部の小幅な領域に剥離剤が塗布された剥離剤部３７が形成されており、かつ、表裏面は、予め、商品目などの情報が印刷された表示部３４ａとなっている。
なお、第１の上紙ラベル３３の一端部の粘着剤部３６ａは、基材ラベル２２の一端部の粘着剤部２４ａよりも弱い粘着力の粘着剤が塗布されている。
そして、基材ラベル２２と、第１の上紙ラベル３３と、第２の上紙ラベル３４とが、この順番に積層されて多層表示ラベル３１が形成されている。
多層表示ラベル３１の一端部は、図中の下方から順に、基材ラベル２２の粘着剤部２４ａ、その上に第１の上紙ラベル３３の剥離剤部３５、さらに、第１の上紙ラベル３３表面の一端部の粘着剤部３６ａの上に、第２の上紙ラベル３４の剥離剤部３７が重なった状態となっている。よって、多層表示ラベル３１の一端部では、第１および第２の上紙ラベル３３、３４とも、複数回の貼り付けおよび剥離が可能な「再剥離粘着部」となっている。
また、多層表示ラベル３１の他端部は、図中の下方から順に、基材ラベル２２の粘着剤部２４ａの上に第１の上紙ラベル３３の裏面が貼り付けられ、さらに、第１の上紙ラベル３３の表面の粘着剤部３６ｂの上に第２の上紙ラベル３４の裏面が貼り付けられている。よって、多層表示ラベル３１の他端部では、第１および第２の上紙ラベル３３、３４が剥離しにくいよう貼り付けられた「粘着剤部」が形成されている。
なお、多層表示ラベル３１は、表面に図示省略の剥離剤が塗布された台紙２に対し、基材ラベル２２の裏面に形成された粘着剤層５を介して剥離可能に仮着されている。
【００１７】
上記多層表示ラベル３１を台紙２より剥がし、基材ラベル２２の裏面の粘着剤層５を表出させ、この粘着剤層５を介してビンなどの円筒状の被貼付物（図示省略）に多層表示ラベル３１を貼り付けて表示する。具体的には、先ず、他端部の粘着剤部２４ｂ、３６ｂ側から多層表示ラベル３１を円周面に沿って押し付けながら被貼付物（図示省略）に貼り付けていく。そうすると、第１の上紙ラベル３３の剥離剤部３５が、基材ラベル２２の粘着剤部２４ａ上を滑る。これと同様に、また、第２の上紙ラベル３４の剥離剤部３７が第１の上紙ラベル３３の粘着剤部３６ａ上を滑る。よって、多層表示ラベル３１は、円筒状の被貼付物に貼り付けても、シワが寄らない。しかも、第１の上紙ラベル３３の一端部の粘着剤部３６ａは、基材ラベル２２の一端部の粘着剤部２４ａよりも弱く形成されているため、図示省略の被貼付物に貼り付けた際、一番外側に積層されて円周の差が出やすい第２の上紙ラベル３４の一端部がより滑り易いので、シワが寄りにくい。
また、基材ラベル２２の表示部２２ａに加え、第１および第２の上紙ラベル３３、３４の表裏面が表示部３３ａ、３４ａとなっているので、多量の情報量の表示が小さいサイズのラベルで実現できる。
その他の構成、作用、効果については、先の実施の形態とほぼ同様につき、詳説を省略する。
【００１８】
なお、上記実施の形態の構成及び動作は例であって、本発明の趣旨を逸脱しない範囲で適宜変更することができることは言うまでもない。
【００１９】
例えば、本発明に係る多層表示ラベル１、１１、２１、３１は、説明の都合上、台紙２に仮着された状態で説明したが、これに限定されないことは勿論であり、粘着剤層５が表出した、いわゆる「台紙なしラベル」であっても構わない。
【００２０】
例えば、多層表示ラベルの一端部を滑るように仮着するために、剥離剤部と粘着剤部とを重ねる形態を示した。これに限らず、例えば、上紙ラベルの材質が樹脂である場合等には、剥離剤部を省略して、粘着性の低い粘着剤部のみを設ける等して、仮着の状態を実現してもよい。
【００２１】
例えば、多層表示ラベルの他端部は、粘着剤部により貼り合わせる形態に限らず、接着剤等を用いて完全に接合してもよい。
【符号の説明】
【００２２】
１    多層表示ラベル（第１の実施形態）
２    台紙
３    基材ラベル
３ａ  表示部
４    上紙ラベル
４ａ  表示部
５    粘着剤層
６    剥離剤部
７ａ、７ｂ  粘着剤部
１１  多層表示ラベル（第２の実施形態）
１２  第１の上紙ラベル
１２ａ  表示部
１３  第２の上紙ラベル
１３ａ  表示部
１４ａ、１４ｂ  粘着剤部
１５  剥離剤部
１６ａ、１６ｂ  粘着剤部
２１  多層表示ラベル（第３の実施形態）
２２  基材ラベル
２２ａ  表示部
２３  上紙ラベル
２３ａ  表示部
２４ａ、２４ｂ  粘着剤部
２５  剥離剤部
３１  多層表示ラベル（第４の実施形態）
３３  第１の上紙ラベル
３３ａ  表示部
３４  第２の上紙ラベル
３４ａ  表示部
３５  剥離剤部
３６ａ、３６ｂ  粘着剤部
３７  剥離剤部
【図１】
2013140321.tif 000003
【図２】
2013140321.tif 000004
【図３】
2013140321.tif 000005
【図４】
2013140321.tif 000006
【図５】
2013140321.tif 000007